(57)【要約】【課題】軽量盛土構造体において、樹脂発泡体ブロック４の側面に耐候性付与のための壁面材７を直接配置するときの両者の接続一体化を容易化する。また、仕上げ施工後に生じる樹脂発泡体ブロック４の沈下の影響を壁面材７に与えないようにする。【解決手段】樹脂発泡体ブロック４を一側面がほぼ垂直面となるように多段に積み上げて軽量盛土とした軽量盛土構造体において、段積みされる樹脂発泡体ブロック４の積層面間に係止部材４０の後端係止部４４を固定する。壁面材７の裏面には受け部材２０を横方向に移動自在に取り付け、係止部材４０の前端係止部４１を受け部材２０の縦溝２２内に摺動自在に挿入係止する。【選択図】  図１
2004162507.tif 000002
【特許請求の範囲】
【請求項１】
樹脂発泡体ブロックを少なくとも一側面がほぼ垂直面となるように多段に積み上げて軽量盛土とし、その上面に路盤などの仕上げ構造材を、またその側面に壁面材を配置してなる軽量盛土構造体であって、
段積みされる樹脂発泡体ブロックの垂直面側には係止部材の後端側が適宜の手段で取り付けられており、係止部材の先端側は壁面材の裏面に取り付けた上下方向に走る縦溝を備えた受け部材に摺動可能な状態で係止されており、かつ、該受け部材は壁面材の裏面に沿って横方向に移動できる状態で取り付けてあることを特徴とする軽量盛土構造体。
【請求項２】
段積みされる樹脂発泡体ブロックの積層面間には一部が壁面材側に飛び出た状態でシート状材が挿入されており、係止部材の後端側は該シート状材の飛び出た部分に連結することによって、段積みされる樹脂発泡体ブロックの垂直面側に取り付けられていることを特徴とする請求項１記載の軽量盛土構造体。
【請求項３】
矩形状である壁面材本体と、その裏面に取り付けたレールと、該レールを案内体として壁面材本体の裏面に沿って横方向に移動可能な受け部材を備え、該受け部材はその移動方向に直交する方向に走る縦溝を有していることを特徴とする軽量盛土構造体に用いられる壁面材。
【請求項４】
上下に連接することとなる壁面材同士の位置決めのための手段をさらに有することを特徴とする請求項３記載の壁面材。
【発明の詳細な説明】
【０００１】
【発明の属する技術分野】
本発明は軽量盛土構造体、特に、樹脂発泡体ブロックを少なくとも一側面がほぼ垂直面となるように多段に積み上げて軽量盛土とし、その上面に路盤などの仕上げ構造材を、またその側面に壁面材を配置してなる構造の軽量盛土構造体に関する。
【０００２】
【従来の技術】
軟弱地盤や地滑り地などでの盛土工法と一つとしてＥＰＳ工法のような軽量盛土材を用いた軽量盛土工法が知られている。この工法は、地盤改良にかかる経費の節減、工期の短縮、耐震性の向上などにおいて優れた効果を発揮することから、種々の土木工事において広く採用されている。図７は、軽量盛土工法を道路の拡幅工事に用いる場合の一例を示す断面図であり、軽量盛土材として発泡スチロールブロック（ＥＰＳブロック）を使用している。
【０００３】
図示のように、中腹部に既存の道路１が作られている既存地山の斜面側に支持鋼材としてＨ形鋼２が立てられ、Ｈ形鋼２と支持地盤３との間にはＥＰＳブロック４が所定高さに積み上げられて軽量盛土部とされる。積み上げたＥＰＳブロック４の上面には所定厚さにコンクリートが打設されコンクリート床版５が作られる。コンクリート床版５およびＥＰＳブロック４が水平方向の位置ズレまたは転倒を起こすことがないように、支持地盤３に埋設固定したアンカー６の先端をコンクリート床版５に一体に形成したアンカーヘッド５ａに固定する。それにより、コンクリート床版５は既存地山側に一体的に固定され、地震などにより支持地盤３が動いたときにも、コンクリート床版５およびＥＰＳブロック４が支持地盤３から剥離すること、すなわち滑動や転倒することを回避する。
【０００４】
また、立設したＨ形鋼２が側圧により外側に傾倒しないように、コンクリート床版５に埋設した鉄筋（接続筋）５１の一部をＨ形鋼２側に突出させ、そこに適宜の係止金具２０を取り付けて、該係合金具２０をＨ形鋼２のフランジに係止させる。また、Ｈ形鋼２を利用して軽量コンクリート板のような壁面保護材７が取り付けられ、仕上げ施工としてコンクリート床版５の上に路盤８やアスファルト舗装９などが施工される。
【０００５】
ところで、ＥＰＳブロックのような樹脂発泡体ブロックは弾塑性体である。従って、コンクリート床版５の上に仕上げ施工として路盤８やアスファルト舗装９を積み上げるとＥＰＳブロック４がわずかに沈下する。工事終了後にも、大型車両が通過する場合などに一時的な沈下が生じる。そのために、図７に示すようにＨ型鋼２を垂直に建て込み、谷側がほぼ垂直壁となるように軽量盛土材４を積み上げていく工法において、Ｈ型鋼２および該Ｈ型鋼を利用して取り付けた壁面保護材７と樹脂発泡体ブロック４とを相互に非拘束状態とし、樹脂発泡体ブロック４の下方への沈み込みを許容している（例えば、特許文献１参照）。この構造の場合には、樹脂発泡体ブロックの沈み込み時に発生する側圧によりＨ型鋼である支柱が倒れ込むのを防止でき、安定した壁面保護材の施工が可能となる。
【０００６】
一方、Ｈ型鋼を構造支持材として建て込むことは、施工に大型機械を必要としコスト面でも高くつくことから、図８に示すように、特許文献２には、Ｈ型鋼の建て込みに代えて、傾斜地の底部に形成したコンクリート基礎１１にコンクリート板のような前面パネル７ａを固着自立させ、積み上げた樹脂発泡体ブロック４の中段および上面に形成したコンクリート床版５、５ｂを、前面パネル７に対して、止め金具１２などを用いて固定するようにした傾斜地における軽量盛土工法が記載されている（例えば、特許文献２参照）。
【０００７】
【特許文献１】特開平１１−２０９９９９号公報
【特許文献２】特開平１１−２４１３４３号公報
【０００８】
【発明が解決しようとする課題】
図８に示す工法は、Ｈ型鋼の建て込みを行わないことから、施工コストの低減は期待できる。しかし、前面パネルに対してコンクリート床版５、５ｂが止め金具などにより直接固定される態様であり、前記樹脂発泡体ブロックの沈み込みに対する対処が十分でないことから、前面パネルとコンクリート床版との固定部に集中荷重が発生して、破壊する恐れがある。
【０００９】
本発明は上記の事情に鑑みてなされたものであり、軽量盛土工法において、Ｈ型鋼の建て込みを省略することにより施工コストを大幅に低減しながら、耐候性確保のために樹脂発泡体ブロックである軽量盛土の側面に取り付けることがどうしても必要となる壁面保護材（壁面材）を容易にかつ安定して取り付けることを可能とする軽量盛土構造体およびそこに用いる壁面材を提供することを目的とする。
【００１０】
【課題を解決するための手段】
上記の課題を解決するために、本発明では、樹脂発泡体ブロックを少なくとも一側面がほぼ垂直面となるように多段に積み上げて軽量盛土とし、その上面に路盤などの仕上げ構造材を、またその側面に壁面材を配置してなる軽量盛土構造体において、段積みされる樹脂発泡体ブロックの垂直面側には係止部材の後端側が適宜の手段で取り付けられており、係止部材の先端側は壁面材の裏面に取り付けた上下方向に走る縦溝を備えた受け部材に摺動可能な状態で係止されており、かつ、該受け部材は壁面材の裏面に沿って横方向に移動できる状態で取り付けてあることを特徴とする。
【００１１】
本発明の軽量盛土構造体は、本発明者らが多くの経験から得た知見、すなわち、本来ＥＰＳブロックのような樹脂発泡体ブロックは、少なくとも一側面がほぼ垂直面となるようにして多段に積み上げても、十分な自立性を備えており崩れることはない、という知見を基礎としている。すなわち、樹脂発泡体ブロックを軽量盛土として少なくとも一側面がほぼ垂直面となるように多段に積み上げ、その上面に路盤などの仕上げ構造材を配置するようにした軽量盛土工法において、軽量盛土のほぼ垂直面となる側面に支持構造材としてのＨ型鋼などの支柱を立設することは、本来不必要であったとの認識をベースとしている。
【００１２】
本発明によれば、耐候性の付与などの目的で配置される壁面材は、先端側を該壁面材に取り付け、後端側を段積みされる樹脂発泡体ブロックの垂直面側に取り付けた係止部材によって、軽量盛土側にしっかりと取り付けられており、自由に離脱することはない。さらに、壁面材には裏面に上下方向に走る縦溝を備えた受け部材が取り付けてあり、前記係止部材の先端側は前記縦溝内に摺動可能な状態で係止されているので、樹脂発泡体ブロックの上下方向の沈み込みによって、軽量盛土の側面に配置された壁面材が影響を受けることもない。
【００１３】
段積みされた樹脂発泡体ブロックの沈み込みにより、樹脂発泡体ブロックが側方に膨らんで壁面材に側圧を与えることが考えられる。しかし、その移動量はわずかであり、各壁面材相互の側方向の移動により十分に吸収可能である。また、そのことは、各壁面材に構造材としての強度を持たせる必要がないことを意味しており、壁面材そのものを安価なものとすることができる。
【００１４】
係止部材は、その後端側が段積みされた樹脂発泡体ブロックの垂直面側に固定されるが、先端側が係合する壁面材側の受け部材は、横方向に移動可能となっており、樹脂発泡体ブロック側への係止部材の固定位置が所定の位置よりも横方向にズレていても、その先端側と壁面材裏面の受け部材との係止は容易にかつ確実に行うことができる。そのために、樹脂発泡体ブロックを積み上げる過程で係止部材の取り付け位置、および壁面材の横方向の取り付け位置のいずれにも大きな注意を払うことなくその作業を行うことができるので、作業は大きく省力化される。
【００１５】
上記のようであり、本発明によれば、多段に積み上げた軽量盛土材の安定性およびその側面に配置する壁面材の安定性の双方を、樹脂発泡体ブロックの沈み込みが生じる場合であっても、Ｈ型鋼のような構造部材としての支柱を建て込むことなく容易に確保することができるので、軽量盛土工法にかかるトータルな施工コストを大幅に低減することができる。
【００１６】
本発明において、段積みされる樹脂発泡体ブロックの垂直面側に係止部材の後端側を取り付けるには、種々の手段を用いることができる。例えば、先端側に受け部材への係止体を持つ長尺状の平板材や横幅の広い平面材を段積みされる樹脂発泡体ブロックの積層面間で挟み込むようにしてもよく、さらに、それらを固定ピンにより樹脂発泡体ブロックに留め付けるようにしてもよい。このような係止部材を用いる場合に、段積みした樹脂発泡体ブロックが浮き上がったりしないように、樹脂発泡体ブロックの表面あるいは裏面に前記した長尺状の平板材や横幅の広い平面材を受け入れるための凹陥部が形成される場合がある。その場合には、凹陥部の位置によって係止部材の取り付け位置は規制されてしまい、壁面材裏面の縦溝との位置合わせが一層困難となる。しかし、本発明によれば、壁面材裏面に取り付けた縦溝を持つ受け部材は横方向に移動可能であることから、上記のような不都合を容易に解消することができる。
【００１７】
段積みされる樹脂発泡体ブロックの垂直面側に係止部材の後端側を取り付ける他の態様として、段積みされる樹脂発泡体ブロックの積層面間に一部が壁面材側に飛び出た状態でシート状材や網状材を挿入しておき、該シート状材や網状材の飛び出た部分に係止部材の後端側は連結するようにしてもよい。この態様では、施工現場で前記飛び出た部分の横方向の任意の位置に係止部材の後端側を取り付けることができるので、係止部材の連結位置の自由度はさらに大きくなり、現場での作業は一層容易化する。また、前記飛び出た部分に長尺状の棒材を横方向に向けて取り付けるようにしてもよく、それにより、係止部材に作用する引張り荷重を横方向に分散することが可能となる。
【００１８】
本発明において、上下方向に走る縦溝を備えた受け部材は、そこに係合する係止部材の先端部との間で生じる引張り力によって破損が生じないだけの強度を備えていればよく、断面Ｃ型をなす鋼材（Ｃ型鋼）や樹脂成形品などを用いることができる。受け部材を壁面材の裏面に横方向に移動できるように取り付ける手段は、壁面材の背面にかかる面圧により分離しないことを条件に任意であるが、壁面材裏面の上辺と下辺に金属材料などからなるレールを取り付け、該レールに上下両端を摺動自在に支持させて受け部材を取り付ける態様は、レールが壁面材本体の補強をも兼ねることから好適である。さらに、左右の側辺にも適宜の補強材を取り付けてもよい。
【００１９】
【発明の実施の形態】
以下、図面を参照しながら本発明の一実施の形態を説明する。図１は、本発明による軽量盛土構造体における盛土工事部の一例を示す断面図であり、図２ａはは壁面材７と係止部材４０とを説明するための分解した斜視図であり、図２ｂは壁面材７に取り付ける受け部材２０を裏面から示す図である。また、図３は壁面材７と係止部材４０とが係合した状態を説明するための斜視図。
【００２０】
この例において、施工に際して従来工法と同様にして支持地盤３が整備され、そこに、傾斜面とは反対側の面がほぼ垂直な面となるように、軽量盛土材としての樹脂発泡体ブロック（例えば、ＥＰＳブロック）４を多段に積み上げ、所定の高さの軽量盛土を形成する。その際に、段積みされる樹脂発泡体ブロック４、４の積層面間に係止部材４０の後端側を固定し、それと並行して、図２および図３に示すように、壁面材７の裏面に装着した受け部材２０に当該係止部材４０の前端側を係止させながら、壁面材７を順次上方向および横方向に取り付けていく。なお、壁面材７は矩形状のものであり、横幅は任意であるが、高さは好ましくは一個のＥＰＳブロックの高さと同じとされる。壁面材７の素材は耐候性を有することを条件に任意であり、コンクリート製であってもよく、木材（間伐材）、樹脂材料などであってもよい。
【００２１】
この例において、各壁面材７の裏面には、図２に示すように、断面Ｃ型をなす部材からなる案内レール７１、７１が、留めビスなどを用いて、上下の縁に沿って横方向に平行な姿勢で取り付けてあり、縦方向の縁に沿って、また巾方向の中央部にも、上下の案内レール７１、７１の間に同様な部材７２が同様にして取り付けてある。このような部材を４周に取り付けることにより、壁面材７の補強も行われる。
【００２２】
上下の案内レール７１、７１には、上下方向に走る縦溝２２を備えた受け部材２０が横方向に摺動可能な状態で係止される。受け部材２０の長さは当該壁面材７の高さと同じであり、例えば、Ｃ型鋼のような材料により作られる。図２ｂに示すように、受け部材２０の裏面２１の上下端には、係合片２３、２３が案内レール７１のフランジ部の厚みとほぼ同じ距離を保つようにして溶着などにより固定されており、該係合片２３と受け部材２０の裏面２１との隙間に、案内レール７１のフランジ部を挿通することにより、受け部材２０は壁面材７の裏面に、すなわち案内レール７１、７１に対して横方向に摺動できるように取り付けられる。
【００２３】
係止部材４０は、受け部材２０の上下方向に走る縦溝２２に摺動自在に係合する先端係止部４１と、該先端係止部４１の裏面に溶着された平板状の留め付け片４４とを備える。先端係止部４１は２枚の板材４２、４２を受け部材２０のフランジ部の厚みとほぼ同じ距離を保つようにして溶着などにより固定して構成されており、その隙間に、受け部材２０のフランジ部を挿通することで、受け部材２０に対して上下方向に摺動できるように取り付けられる。留め付け片４４の後端部には孔４５が形成されており、図３に示すように、必要な場合に留めピン４６を挿通するのに利用される。
【００２４】
施工に際し、ある段のＥＰＳブロック４を積み上げた後、その上面に係止部材４０を載置する。そのときに、垂直面側すなわち壁面材７側に先端係止部４１が飛び出るようにする。必要な場合には、図３に示すように、孔４５から留めピン４６をＥＰＳブロック４に差し込む。好ましくは、壁面材１枚に対して、２つの係止部材４０を載置する。その間隔は、壁面材７の裏面に取り付ける２つの受け部材２０の標準的間隔とされるが、受け部材２０は横方向に移動可能であり、必ずしもそれに従う必要はない。その後、さらに上段のＥＰＳブロック４を積み上げる。それにより、係止部材４０は段積みされたＥＰＳブロック４、４の間でしっかりと固定される。同じことを、壁面材７が配置される路線長にわたり繰り返す。最後には、コンクリート床版５との間でも同様にして係止部材４０を配置する。
【００２５】
各段での係止部材４０と取り付けと並行して、壁面材７の取り付けを行う。取り付けは、壁面材７の裏面に取り付けた受け部材２０の縦溝２２内に係止部材４０の先端係止部４１を係止させることにより行う。その際に、受け部材２０は壁面材７に対して横方向に移動自在であり、既に固定してある係止部材４０の先端係止部４１の位置に受け部材２０を容易に移動させることができる。上記の作業を横方向および高さ方向に繰り返し行うことにより、壁面材７と軽量盛土であるＥＰＳブロック４との係止部材２０を介しての一体化作業を終了する。
【００２６】
その後、コンクリート床版５を形成し、必要な場合には、該コンクリート床版５を一端を地中に埋設したアンカーに固定し（図１には示されない）、さらに、コンクリート床版５の路肩に地覆コンクリート１０を作り、路盤８、アスファルト舗装９などの仕上げのための工事を施すことにより、本発明による軽量盛土構造体の工事は終了する。ここにおいて、係止部材４０の先端係止部４１は受け部材２０の縦溝２２に沿って上下方向に摺動自在であり、上記したＥＰＳブロック４の沈み込みは、壁面材７など他の部材に影響を与えることなく、吸収される。
【００２７】
図４は係止部材４０の他の形態を示している。この係止部材４０ａは、前記した係止部材４０におけると同様な先端係止片４１を２個、所定の距離をおいて有しており、各先端係止片４１は、適宜の連結具４６を介して幅広の平板状である留め付け板４７に連接している。この態様の係止部材４０ａは、留め付け板４７が幅の広い平板状であることから、ＥＰＳブロック４、４との間の摩擦力が増大し、固定は一層安定する。図示のように、留め付け板４７の表裏面に凸条４８を形成する場合には、さらに安定した固定状態が確保される。この場合にも、ＥＰＳブロック４上での留め付け板４７の配置位置が所定位置より多少横方向にずれていても、受け部材２０の横方向の位置を調整することにより、容易に、両者を一体化することが可能であり、作業効率が低下することはない。
【００２８】
図５は、壁面材７の他の例を示している。ここでは、上下の案内レール７１、７１の一方に所要の突起７５が形成されており、他方には、上下に位置する壁面材の前記案内レール７１に形成した突起７５が挿入する穴７６が形成されている。このような突起７５と穴７６を位置決め部材として設けることにより、壁面材７の上下方向への積み上げを容易化することができる。
【００２９】
図６は、係止部材４０ａを多段に積み上げたＥＰＳブロック４側に取り付けるための他の態様を示している。ここでは、ある段のＥＰＳブロック４ａを積み上げた後、その上に、垂直面側すなわち壁面材側に一部が飛び出るようにして多数の孔３１を有するシート状材（網状体）３０を敷き詰めている。必要に応じて、シート状材３０の内側端を図示しない固定用ピンなどを差し込んだ後、さらに上段のＥＰＳブロック４を積み上げる。それにより、敷き詰めたシート状材３０は、段積みされたＥＰＳブロック４、４の間でしっかりと固定される。また、好ましくは、シート状材３０の前記飛び出た部分に、鋼棒のような長尺状の棒部材３３を前記の孔３１を利用して取り付ける。
【００３０】
係止部材４０ａは、受け部材２０に形成される上下方向の縦溝２２に摺動自在に入り込むことのできる先端係止片４１ａと、下端部に櫛歯状の差し込み片４９ａを備えた後端係止片４９とからなる。受け部材２０の縦溝２２に先端係止片４１ａを係止させ、また、後端係止片４９をＥＰＳブロック４、４の層間に固定したシート状材３０の前記飛び出た部分に櫛歯状の差し込み片４９ａを差し込むことにより固定する。それにより、壁面材７と軽量盛土であるＥＰＳブロック４は係止部材４０ａを介して一体化される。
【００３１】
先端係止片４１ａは、後端係止片４９に溶着したねじ材５０に係止した２枚の矩形状の係止板５１、５１がナット５２、５２により挟持された構成であり、受け部材２０の位置において、後端側のナット５２を内側に移動させて係止板５１、５１との間を開き、かつ先端側の係止板５１を縦姿勢にして、ねじ材５０の先端を受け部材２０の縦溝２２内に挿入する。それにより、先端側の係止板５１は受け部材２０の内側に入り込むことができるので、入り込んだ後、当該係止板５１を横向きにし、ナット５２、５２を適宜位置調整して、２枚の係止板５１、５１の間に受け部材２０のフランジを挟み込みむようにする。
【００３２】
この場合には、受け部材２０が横方向に位置変更自在であることに加えて、係止部材４０ａも横方向の任意の位置でシート状材３０に連結できるので、係止部材の位置決めの自由度はさらに向上し、施工は一層容易化される。なお、シート状材３０の前記飛び出た部分に長尺状の棒材３３を横方向に向けてシート状材に取り付けることにより、係止部材４０ａに作用する引張り荷重は長尺状の棒材３３を介して横方向に分散してシート状材３０に伝えられるので、応力の集中は回避される。
【００３３】
なお、本発明による軽量盛土構造体の構造は、図１に示すような一方が斜面となった支持地盤に適用できるのはもちろん、図示しないが、左右の側面が共にほぼ垂直面となるようにして軽量盛土材を積み上げるようにした軽量盛土構造体にも等しく採用できることは、当然である。
【００３４】
【発明の効果】
上記のようであり、本発明による軽量盛土構造体では、軽量盛土に取り付けた係止部材の先端側と壁面材側との取り付けを、壁面材の裏面に沿って横方向に移動自在に取り付けた受け部材を介して行うようにしたので、壁面材と軽量盛土との一体化施工はきわめて容易となる。また、仕上げ施工後に軽量盛土が沈下する場合でも、その挙動は、受け部材に形成した縦溝内を係止部材の先端側が摺動することにより吸収されるので、壁面材に影響を与えない。そのために、従来のようにＨ型鋼のような支柱を建て込むことなく、軽量盛土の側面に耐候性付与のための壁面材を安定的にかつ容易に固定することが可能となり、施工コストは大幅に低減する。
【図面の簡単な説明】
【図１】本発明による軽量盛土構造体における盛土工事部の一例を示す断面図。
【図２】図２ａは壁面材と係止部材とを説明するための分解した斜視図であり、図２ｂは壁面材に取り付ける受け部材を裏面から示す図である。
【図３】壁面材と係止部材とが係合した状態を説明するための斜視図。
【図４】係止部材の他の形態を示す斜視図。
【図５】壁面材の他の形態を示す斜視図。
【図６】異なった形態の係止部材を用いた壁面材と軽量盛土の間の固定構造を示す斜視図。
【図７】軽量盛土工法を道路の拡幅工事に用いる場合の一例を示す断面図。
【図８】軽量盛土工法を道路の拡幅工事に用いる場合の他の例を示す断面図。
【符号の説明】
３…支持地盤、４…軽量盛土材としての樹脂発泡体ブロック、５…コンクリート床版、７…壁面材、２０…壁面材の裏面に横移動自在に取り付けられる受け部材、２２…縦溝、４０…係止部材、４１…先端係止片（係止部材の先端側）、４４…後端係止片（係止部材の後端側）
【図１】
2004162507.tif 000003
【図２】
2004162507.tif 000004
【図３】
2004162507.tif 000005
【図４】
2004162507.tif 000006
【図５】
2004162507.tif 000007
【図６】
2004162507.tif 000008
【図７】
2004162507.tif 000009
【図８】
2004162507.tif 000010